(57)【特許請求の範囲】
【請求項１】
コードレス電話機とハンドセットを有する通信端末装置本体とを備えた通信端末装置において、
通信端末装置本体は、警告音を鳴動する本体側鳴動手段と、ハンドセットのオフフック状態を検出する状態検出手段と、コードレス電話機から内線通話の終了を示す終話コマンドを受信した後、所定時間内にハンドセットがオンフックされない場合は、本体側鳴動手段から警告音を鳴動させる本体側制御手段とを備え、
前記コードレス電話機は、警告音を鳴動するコードレス側鳴動手段と、前記コードレス電話機から内線通話の終了を示す終話コマンドを受信した後、所定時間内にハンドセットがオンフックされない場合は、前記本体側制御手段からの指示に基づき、前記コードレス側鳴動手段から警告音を鳴動させるコードレス側制御手段とを備えた通信端末装置。
【請求項２】
請求項１に記載の通信端末装置において、前記通信端末装置本体は、外線からの着信を検出する着信検出手段を備え、前記本体側制御手段は、前記本体側鳴動手段による警告音の鳴動中に、外線からの着信が検出された場合、前記本体側鳴動手段から擬似音を鳴動させるとともに、フッキング動作に基づいて、外線とハンドセットとを接続させる通信端末装置。
【発明の詳細な説明】
【０００１】
【発明の属する技術分野】
本発明は、コードレス電話機とハンドセットとを備えたファクシミリ装置等に代表される通信端末装置に関するものである。
【０００２】
【従来の技術】
近年、通信端末装置として、コードレス電話機とハンドセットとを備えたファクシミリ装置が、一般家庭まで普及しつつある。このファクシミリ装置本体には、外線通話（電話回線）や内線電話を行うためのハンドセットが備えられている。このため、このファクシミリ装置を用いれば、ファクシミリ（ＦＡＸ）による送受信ができるとともに、コードレス電話機またはハンドセットからも、外線に発呼して外線通話することができる。また、コードレス電話機とハンドセットとの間で内線通話をすることもできる。
【０００３】
ところで、単体の電話機（コードレス電話機を備えていない電話機等）の場合は、受話器をオンフック（受話器をフックスイッチ上に置いた状態）及びオフフック（受話器を取り上げた状態）することにより直接電話回線の開閉が行われて、外線との間で通話を行うことができる構成となっている。
【０００４】
一方、ハンドセットやコードレス電話機を備えたファクシミリ装置では、外線からの着信を検出する呼出信号検出部を電話回線間に備え、同部において外線からの着信が検出された場合、ＭＰＵの制御により電話回線の閉結及び開放を行うＣＭＬリレーを開閉させている。
【０００５】
ここで、外線通話が終了してから所定時間内にハンドセットがオンフックされない場合は、交換機から警告音を鳴動させるための信号が送出されてくる。そして、この信号により、ハンドセットのスピーカからは警告音が鳴動される。このため、ハンドセットがオンフックされていないことが、交換機から知らされることになる。
【０００６】
【発明が解決しようとする課題】
ところが、内線通話が終了した場合、ハンドセットはオンフックされる。一方、コードレス電話機の切キーが押下される。すなわち、「内線通話が終了」の状態とは、ハンドセットはオンフックされ、且つコードレス電話機の切キーが押下された状態のことである。このとき、何らかの原因により、ハンドセットがオンフックされず、コードレス電話機の切キーのみが押下された場合、内線通話が終了したにも関わらず、ＭＰＵは内線通話が終了したことを認識することができず、ＭＰＵは異常な状態であることを認識する。
【０００７】
また、この状態において外線からの着信があった場合、ファクシミリ装置のＣＭＬリレーが開いている状態であるため、外線の相手に対してはリングバックトーンが鳴動される。一方、ハンドセットがオンフックされていないため、ＭＰＵは未だ異常な状態であると判断する。このため、呼出信号検出部は交換機からの呼出信号を検出することができない。従って、外線からの着信を示す呼出音がスピーカから鳴動されないことになる。
【０００８】
本発明は、このような従来の技術に存在する問題点に着目してなされたものであって、その目的は、内線通話終了後、ハンドセットがオンフックされていない場合は、その旨を報知することが可能な通信端末装置を提供することにある。
【０００９】
【課題を解決するための手段】
上記の目的を達成するために、請求項１に記載の発明においては、コードレス電話機とハンドセットを有する通信端末装置本体とを備えた通信端末装置において、通信端末装置本体は、警告音を鳴動する本体側鳴動手段と、ハンドセットのオフフック状態を検出する状態検出手段と、コードレス電話機から内線通話の終了を示す終話コマンドを受信した後、所定時間内にハンドセットがオンフックされない場合は、本体側鳴動手段から警告音を鳴動させる本体側制御手段とを備えた。
【００１０】
さらに、前記コードレス電話機は、警告音を鳴動するコードレス側鳴動手段と、コードレス電話機から内線通話の終了を示す終話コマンドを受信した後、所定時間内にハンドセットがオンフックされない場合は、本体側制御手段からの指示に基づき、コードレス側鳴動手段から警告音を鳴動させるコードレス側制御手段とを備えた。
【００１１】
請求項２に記載の発明においては、請求項１に記載の通信端末装置において、通信端末装置本体は、外線からの着信を検出する着信検出手段を備え、本体側制御手段は、本体側鳴動手段による警告音の鳴動中に、外線からの着信が検出された場合、本体側鳴動手段から擬似音を鳴動させるとともに、フッキング動作に基づいて、外線とハンドセットとを接続させる。
【００１２】
なお、以下に述べる発明の実施の形態において、特許請求の範囲または課題を解決するための手段に記載の「本体側鳴動手段」はモニタスピーカ２３に相当し、「状態検出手段」はフックスイッチ３４に相当し、「本体側制御手段」はＭＰＵ１１、ＲＯＭ１２、ＲＡＭ１３に相当し、「コードレス側鳴動手段」はスピーカ４７ｂに相当し、「コードレス側制御手段」はＭＰＵ１１、ＲＯＭ１２、ＲＡＭ１３に相当し、「着信検出手段」はＮＣＵ３に相当する。
【００１３】
【発明の実施の形態】
以下、本発明を具体化した一実施形態を図面に基づいて説明する。
図１に示すように、ファクシミリ装置１は、ファクシミリ通信動作を行うファクシミリ装置本体２と、電話回線Ｌとの接続を制御するＮＣＵ３と、通信相手との間で通話を行うハンドセット４と、ファクシミリ装置本体２を介して通信相手との間で通話を行うコードレス電話機５とから構成されている。
【００１４】
まず、ファクシミリ装置本体２の構成について説明する。
ファクシミリ装置本体２は、ＭＰＵ１１、ＲＯＭ１２、ＲＡＭ１３、読取部１４、記録部１５、操作部１６、表示部１７、画像メモリ１８、コーデック１９、モデム２０、コマンド発生解析部２１、鳴動信号発生部２２、モニタスピーカ２３、送受信部２４及びアンテナ２５から構成されている。
【００１５】
ＭＰＵ１１は、ファクシミリ装置本体２を構成する各部の動作を制御する。ＲＯＭ１２は、ファクシミリ装置本体２を制御するためのプログラム等を記憶している。ＲＡＭ１３は、ファクシミリ装置本体２に関する各種情報を一時的に記憶する。
【００１６】
読取部１４は、原稿上の画像データを読み取って、白黒２値のイメージデータを出力する。記録部１５は、電子写真方式のプリンタよりなり、受信画データやコピー動作において、読取部１４にて読み取られた原稿の画データを記録紙上に記録する。
【００１７】
操作部１６は、電話番号を入力するためのテンキー（＊，＃キーを含む）１６ａ、コードレス電話機５に内線通話を行うための内線キー１６ｂ等の各種操作キーを備えている。ＬＣＤ等よりなる表示部１７は、ファクシミリ装置１の動作状態等の各種情報の表示を行う。
【００１８】
画像メモリ１８は、受信画データや読取部１４で読み取られた画データを一時的に記憶する。コーデック１９は、読取部１４にて読み取られた画データを送信のためにＭＭＲ方式等により符号化（エンコード）する。また、コーデック１９は、受信画データを復号（デコード）する。
【００１９】
モデム２０は、ＩＴＵ−Ｔ勧告Ｔ．３０に従ったファクシミリ伝送制御手順に基づいて、Ｖ．１７，Ｖ．２７ｔｅｒ，Ｖ．２９等に従った送受信データの変調及び復調を行う。
【００２０】
コマンド発生解析部２１は、操作部１６のキー押下やハンドセット４の状態（オンフックまたはオフフック）等に伴って、各種コマンドを発生するとともに、コードレス電話機５から受信する各種コマンドを解析する。鳴動信号発生部２２は、各種の鳴動信号を発生する。
【００２１】
モニタスピーカ２３は、鳴動信号発生部２２から送出されてくる信号を鳴動音に変換して鳴動する。送受信部２４は、アンテナ２５を介してコードレス電話機５との間で各種の制御等に必要な情報の送受信を行う。モデム２０は、トランス３１を介して電話回線Ｌと接続されている。
【００２２】
次に、前記ＮＣＵ３の構成について説明する。
ＣＭＬリレー３２は、電話回線Ｌとトランス３１との間に配置され、ＭＰＵ１１の制御により電話回線Ｌを閉結及び開放する。呼出信号検出部３３は、電話回線Ｌに接続され、その電話回線Ｌ上の１６Ｈｚの呼出信号を検出する。フックスイッチ３４は、ハンドセット４のオンフック及びオフフック状態を検出する。
【００２３】
リレー３６は、ＭＰＵ１１の制御により、電話回線Ｌ、ハンドセット４、送受信部２４間の接続を制御する。接点ａが閉じられたときには、ハンドセット４と送受信部２４とが接続され、接点ｂまたは接点ｃが閉じられたときには、電話回線Ｌと送受信部２４またはハンドセット４とが接続される。内線通話を行うときには、接点ａのみが閉じられ、ハンドセット４及び送受信部２４は電話回線Ｌから切り離された状態となる。このとき、電話回線Ｌから外線が着信されると、ＣＭＬリレー３２を介して、呼出信号検出部３３で検出される。このため、内線通話中に外線からの着信があっても、ハンドセット４またはコードレス電話機５から応答することができる。ハンドセット４は、マイク４ａ及びスピーカ４ｂを備えている。
【００２４】
次に、コードレス電話機５の構成について説明する。
コードレス電話機５は、ＭＰＵ４１、ＲＯＭ４２、ＲＡＭ４３、コマンド発生解析部４４、鳴動信号発生部４５、操作部４６、送受信部４７及びアンテナ４８から構成されている。
【００２５】
ＭＰＵ４１は、コードレス電話機５を構成する各部の動作を制御する。ＲＯＭ４２は、コードレス電話機５を制御するためのプログラム等を記憶している。ＲＡＭ４３は、コードレス電話機５に関する各種情報を一時的に記憶する。
【００２６】
コマンド発生解析部４４は、操作部４６のキー押下に伴って、各種コマンドを発生するとともに、ファクシミリ装置本体２から受信する各種コマンドを解析する。鳴動信号発生部４５は、各種の鳴動信号を発生する。
【００２７】
操作部４６は、電話番号を入力するためのテンキー（＊，＃キーを含む）４６ａ、ハンドセット４との間で内線通話を行うための内線キー４６ｂ、外線に発呼したり、着信した外線をオフフックするための外線キー４６ｃ、内線通話や外線電話を終了させるための切キー４６ｄ等を備えている。
【００２８】
送受信部４７は、アンテナ４８を介して、ファクシミリ装置本体２との間で制御等に必要な情報の送受信を行う。また、送受信部４７は、マイク４７ａ及びスピーカ４７ｂを備えている。
【００２９】
次に、このように構成されたファクシミリ装置１において、ファクシミリ装置本体２の動作について、図２及び図３のフローチャートを用いて説明する。なお、この動作は、ＲＯＭ１２に記憶されたプログラムに基づき、ＭＰＵ１１の制御により実行される。
【００３０】
Ｓ１においては、ファクシミリ装置本体２の内線キー１６ｂが押下されたか否か判断される。内線キー１６ａが押下された場合はＳ２に移行する。一方、内線キー１６ａが押下されない場合はＳ４に移行する。
【００３１】
Ｓ２においては、コードレス電話機５を呼び出すための内線呼出コマンドが、ファクシミリ装置本体２からコードレス電話機５に送信される。
Ｓ３においては、コードレス電話機５からオフフックコマンドが受信されるのが待たれる。すなわち、前記Ｓ２におけるファクシミリ装置本体２からの呼出に応じて、コードレス電話機５の内線キー４６ｂが押下されるのが待たれる。
【００３２】
Ｓ４においては、コードレス電話機５からハンドセット４を呼び出すための内線呼出コマンドを受信したか否かが判断される。内線呼出コマンドを受信した場合はＳ５に移行する。一方、内線呼出コマンドを受信しない場合はＳ１に戻る。
【００３３】
Ｓ５においては、モニタスピーカ２３から内線呼出音の鳴動が開始される。Ｓ６においては、ハンドセット４がオフフックされるのが待たれる。ハンドセット４がオフフックされた場合は、内線呼出音の鳴動が停止される。
【００３４】
すなわち、Ｓ１〜Ｓ３の処理は、ファクシミリ装置本体２からコードレス電話機５に対する内線通話の場合を示している。一方、Ｓ４〜Ｓ６の処理は、コードレス電話機５からファクシミリ装置本体２に対する内線通話の場合を示している。
【００３５】
Ｓ７においては、リレー３６の接点ａが閉じられ、ハンドセット４とコードレス電話機５との間において、内線通話が行われる。
Ｓ８においては、内線通話が終了して、コードレス電話機５から終話コマンドを受信したか否かが判断される。具体的には、コードレス電話機５における操作部４６の切キー４６ｄが押下されたか否かが判断される。そして、終話コマンドを受信した場合はＳ１１に移行する。一方、終話コマンドを受信しない場合はＳ９に移行する。
【００３６】
Ｓ９においては、ハンドセット４がオンフックされたか否かが判断される。ハンドセット４がオンフックされた場合はＳ１０に移行する。一方、ハンドセット４がオンフックされない場合はＳ７に戻る。すなわち、Ｓ８及びＳ９の処理では、内線通話が終了したか否かを判断している。
【００３７】
Ｓ１０においては、ハンドセット４がオンフックされた旨を通知するため、コードレス電話機５にオンフックコマンドが送信される。そして、リレー３６の接点ａが開かれ、この処理を終了する。
【００３８】
Ｓ１１及びＳ１２においては、前記Ｓ８においてコードレス電話機５から終話コマンドを受信した場合、所定時間経過するまでにハンドセット４がオンフックされたか否かが判断される。所定時間経過するまでにハンドセット４がオンフックされた場合は、リレー３６の接点ａが開かれ、この処理を終了する。一方、所定時間が経過するまでにハンドセット４がオンフックされない場合は、図３に示すＳ１３に移行する。
【００３９】
図３に示すＳ１３においては、コードレス電話機５から終話コマンドを受信してから所定時間経過しても、ハンドセット４がオンフックされないため、コードレス電話機５に対して、警告コマンドが送信される。その結果、警告コマンドを受信したコードレス電話機５のスピーカ４７ｂからは、警告音の鳴動が開始される。
【００４０】
Ｓ１４においては、ファクシミリ装置本体２のモニタスピーカ２３から警告音の鳴動が開始される。
Ｓ１５においては、前記Ｓ１４の鳴動音により、ハンドセット４がオンフックされたか否かが判断される。ハンドセット４がオンフックされた場合は、Ｓ１６に移行する。一方、ハンドセット４がオンフックされない場合はＳ１７に移行する。
【００４１】
Ｓ１６においては、警告解除コマンドが送信されるとともに、モニタスピーカ２３からの警告音の鳴動が停止される、そして、リレー３６の接点ａが開かれ、この処理を終了する。
【００４２】
Ｓ１７においては、外線から着信が検出されたか否かが判断される。外線から着信が検出された場合はＳ１８に移行する。一方、外線からの着信が検出されない場合はＳ１５に戻る。
【００４３】
Ｓ１８においては、外線からの着信に基づいて、鳴動信号発生部２２から擬似音を鳴動させるための信号が発生され、モニタスピーカ２３から擬似音の鳴動が開始される。
【００４４】
Ｓ１９においては、ハンドセット４のフックスイッチがフッキングがされたか否かが判断される。フックスイッチがフッキングされた場合はＳ２０に移行する。一方、フックスイッチがフッキングされない場合はＳ１８に戻る。
【００４５】
Ｓ２０においては、フッキングに伴って、コードレス電話機５に対して、警告解除コマンドが送信されるとともに、擬似音の鳴動が停止される。
Ｓ２１においては、外線とハンドセット４とを接続させるため、ＣＭＬリレー３２及びリレー３６の接点ｃが閉じられ、リレー３６の接点ａが開かれる。
【００４６】
Ｓ２２においては、外線者とハンドセット４の使用者との間で、外線通話が行われる。
Ｓ２３においては、外線通話が終了して、ハンドセット４がオンフックされたか否かが判断される。ハンドセット４がオンフックされた場合はＳ２４に移行して、ＣＭＬリレー３２及びリレー３６の接点ｃが開かれる。一方、ハンドセット４がオンフックされない場合は、外線通話が未だ終了していないと判断してＳ２２に戻る。
【００４７】
次に、コードレス電話機５の動作について、図４及び図５のフローチャートを用いて説明する。なお、この動作は、ＲＯＭ４２に記憶されたプログラムに基づき、ＭＰＵ４１の制御により実行される。
【００４８】
Ｓ３１においては、コードレス電話機５の内線キー４６ｂが押下されたか否か判断される。内線キー４６ａが押下された場合はＳ３２に移行する。一方、内線キー４６ａが押下されない場合はＳ３４に移行する。
【００４９】
Ｓ３２においては、ハンドセット４を呼び出すための内線呼出コマンドが、ファクシミリ装置本体２に送信される。
Ｓ３３においては、ファクシミリ装置本体２からオフフックコマンドが受信されるのが待たれる。すなわち、前記Ｓ３２におけるコードレス電話機５からの呼出に応じて、ファクシミリ装置本体２の内線キー１６ｂが押下されるのが待たれる。
【００５０】
Ｓ３４においては、ファクシミリ装置本体２からコードレス電話機５を呼び出すための内線呼出コマンドを受信したか否かが判断される。内線呼出コマンドを受信した場合はＳ３５に移行する。一方、内線呼出コマンドを受信しない場合はＳ３１に戻る。
【００５１】
Ｓ３５においては、内線呼出音がスピーカ４７ｂから鳴動される。Ｓ３６においては、コードレス電話機５がオフフックされるのが待たれる。具体的には、前記Ｓ３５における内線呼出音に基づいて、コードレス電話機５の内線キー４６ｂが押下されるのが待たれる。コードレス電話機５の内線キー４６ｂが押下された場合は、内線呼出音の鳴動が停止される。
【００５２】
すなわち、Ｓ３１〜Ｓ３３の処理は、コードレス電話機５からファクシミリ装置本体２に対する内線通話の場合を示している。一方、Ｓ３４〜Ｓ３６の処理は、ファクシミリ装置本体２からコードレス電話機５に対する内線通話の場合を示している。
【００５３】
Ｓ３７においては、ハンドセット４とコードレス電話機５との間において、内線通話が行われる。
Ｓ３８においては、内線通話が終了して、切キー４６ｄが押下されたか否かが判断される。切キー４６ｄが押下された場合は、図５に示すＳ４０に移行する。一方、切キー４６ｄが押下されない場合はＳ３９に移行する。
【００５４】
Ｓ３９においては、ハンドセット４のオンフックに伴って、ファクシミリ装置本体２からオンフックコマンドを受信したか否かが判断される。オンフックコマンドを受信した場合は、この処理を終了する。一方、オンフックコマンドを受信しない場合はＳ３７に戻る。
【００５５】
図５に示すＳ４０においては、警告コマンドを受信したか否かが判断される。すなわち、コードレス電話機５が切キー４６ｄを押下して、終話コマンドを送信したにも関わらず、ハンドセット４が所定時間内にオンフックされない場合、ファクシミリ装置本体２は、コードレス電話機５に警告コマンドを送信する。このため、この警告コマンドを受信したか否かが判断される。警告コマンドを受信した場合はＳ４１に移行する。一方、警告コマンドを受信しない場合はＳ４２に移行する。
【００５６】
Ｓ４１においては、鳴動信号発生部４５から警告音を鳴動させるための信号が発生され、スピーカ４７ｂから警告音の鳴動が開始される。
Ｓ４２においては、ファクシミリ装置本体２からオンフックコマンドを受信したか否かが判断される。すなわち、ファクシミリ装置本体２は、コードレス電話機５から終話コマンドを受信してから、所定時間内にハンドセット４がオンフックされない場合は、モニタスピーカ２３から警告音が鳴動される。このため、警告音に伴って、ハンドセット４がオンフックされた場合を検出するために、この処理が設けられている。
【００５７】
Ｓ４３においては、警告解除コマンドを受信したか否かが判断される。すなわち、ファクシミリ装置本体２は、コードレス電話機５から終話コマンドを受信した場合であって、所定時間内にハンドセット４がオンフックされない場合は、モニタスピーカ２３から警告音が鳴動される。このため、この警告音に伴って、ハンドセット４がオンフックされた場合に、ファクシミリ装置本体２から送信されてくる警告解除コマンドが受信されたか否かが判断される。警告解除コマンドが受信された場合はＳ４４に移行する。一方、警告解除コマンドが受信されない場合はＳ４１に戻る。
【００５８】
Ｓ４４においては、スピーカ４７ｂからの警告音の鳴動が停止され、この処理を終了する。
以上、詳述したように本実施形態によれば、次のような作用、効果を得ることができる。
【００５９】
・ファクシミリ装置本体２は、コードレス電話機５から終話コマンドを受信して、内線通話が終了した後、所定時間内にハンドセット４がオンフックされていない場合は、モニタスピーカ２３から警告音が鳴動されるとともに、コードレス電話機５のスピーカ４７ｂからも警告音が鳴動される。このため、ファクシミリ装置本体２の近傍者は、ハンドセット４がオンフックされていないことを知ることができる。従って、この警告音により、ハンドセット４をオンフックさせることができる。加えて、コードレス電話機５からも警告音が鳴動される。このため、コードレス電話機５の近傍者もハンドセット４がオンフックされていないことを知ることができる。
【００６０】
・警告音の鳴動中に、外線からの着信が検出されると、警告音の鳴動から擬似音の鳴動に変化する。この擬似音の鳴動に基づいて、フックスイッチのフッキングを行うと、警告解除コマンドがコードレス電話機５に送信されるとともに、擬似音の鳴動が停止される。そして、外線とハンドセット４とが接続される。このため、ハンドセット４がオンフックされていない状態であっても、外線からの着信に応答することができる。従って、外線からの相手に対して、呼出音が鳴動されることはない。
【００６１】
・コードレス電話機５は、ハンドセット４からオンフックコマンドを受信した場合、切キー４６ｄを押下しなくても、内線通話が終了される。このため、内線通話終了後、コードレス電話機５がオンフックされたか否か、具体的には切キー４６ｄが押下されたか否かを判断する必要もない。
【００６２】
なお、前記実施形態は、次のように変更して具体化することも可能である。
・警告音の鳴動中に、外線からの着信が検出された場合、ファクシミリ装置本体のモニタスピーカ２３から擬似音が鳴動される構成に加えて、コードレス電話機５のスピーカ４７ｂからも擬似音が鳴動される構成にしても良い。このように構成すれば、コードレス電話機５からも警告音の鳴動中における外線からの着信に応答することができる。
【００６３】
・ハンドセット４及びコードレス電話機５からの警告音の鳴動に、ＬＥＤ等の光による警告表示を加えた構成としても良い。このように構成すれば、警告音の鳴動と光による警告表示により、より一層明確な警告表示を行うことができる。特に、夜間等においては、光による警告表示がより有効である。また、ＬＥＤ等の光による警告表示のみの構成であっても良い。
【００６４】
・コードレス電話機とハンドセットとを備えたファクシミリ装置に代えて、コードレス電話機を備えた親子電話機に適用しても良い。
・ハンドセット４は、フックスイッチを有するコードレス電話機であっても良い。
【００６５】
・モニタスピーカ２３から警告音や擬似音を鳴動させる構成に代えて、ハンドセット４のスピーカ４ｂから警告音や擬似音を鳴動させる構成にしても良い。また、モニタスピーカ２３とハンドセット４のスピーカ４ｂの両方から警告音や擬似音を鳴動させる構成にしても良い。
【００６６】
さらに、前記実施形態より把握できる技術的思想について、それらの作用、効果と共に以下に記載する。
・コードレス電話機とハンドセットを有する通信端末装置本体とを備えた通信端末装置において、通信端末装置本体は、警告音を鳴動する本体側鳴動手段と、ハンドセットのオフフック状態を検出する状態検出手段と、コードレス電話機から内線通話の終了を示す終話コマンドを受信した後、所定時間内にハンドセットがオンフックされない場合は、本体側鳴動手段から警告音を鳴動させる本体側制御手段とをコンピュータに実行させるためのプログラムを記録した記録媒体。
【００６７】
このように構成すれば、内線通話終了後のハンドセットがオンフックされていない旨を報知することが可能な記録媒体を提供することができる。
【００６８】
【発明の効果】
本発明は、以上のように構成されているため、次のような効果を奏する。
請求項１に記載の発明によれば、本体側鳴動手段からの鳴動によって、ファクシミリ装置本体の近傍者は、内線通話終了後のハンドセットがオンフックされていない旨を知ることができる。
【００６９】
また、コードレス電話機からもハンドセットがオンフックされていない状態を知ることができる。
【００７０】
請求項２に記載の発明によれば、請求項１に記載の発明の効果に加えて、警告音の鳴動中に、外線からの着信が検出された場合は、擬似音が鳴動される。そして、フッキング動作により、ハンドセットから外線に応答することができる。
【図面の簡単な説明】
【図１】一実施形態におけるファクシミリ装置のブロック構成図。
【図２】ファクシミリ装置本体の動作を示すフローチャート。
【図３】ファクシミリ装置本体の動作を示すフローチャート。
【図４】コードレス電話機の動作を示すフローチャート。
【図５】コードレス電話機の動作を示すフローチャート。
【符号の説明】
１…通信端末装置としてのファクシミリ装置、２…通信端末装置本体としてのファクシミリ装置本体、３…着信検出手段としてのＮＣＵ、４…ハンドセット、５…コードレス電話機、１１…本体側制御手段を構成するＭＰＵ、１２…本体側制御手段を構成するＲＯＭ、１３…本体側制御手段を構成するＲＡＭ、２０…モデム、２３…本体側鳴動手段としてのモニタスピーカ、３４…状態検出手段としてのフックスイッチ、４１…コードレス側制御手段を構成するＭＰＵ、４２…コードレス側制御手段を構成するＲＯＭ、４３…コードレス側制御手段を構成するＲＡＭ、４７ｂ…コードレス側鳴動手段としてのスピーカ。
【図１】
0003743140.tif 000002
【図２】
0003743140.tif 000003
【図３】
0003743140.tif 000004
【図４】
0003743140.tif 000005
【図５】
0003743140.tif 000006